(57)【要約】      （修正有）【課題】端子収容部や端子キャビティ内に進入した異物の影響を受けずに弾接片を撓ませることができる端子を提供する。【解決手段】端子は、端子収容部２の左右の側板２ａ，２ｂに備えた一対の弾接片２１で、端子収容部２内の相手方端子を挟持する。弾接片２１は、端子収容部２内に屈曲して延びた屈曲部２１１と、側板２ａ，２ｂに沿って端子収容部内を延びた挟持部２１２と、相手方端子に当接する当接部２１３とを備えている。端子キャビティ４０の内壁部４ａ，４ｂと弾接片２１との間には、弾接片２１の撓み代よりも大きな間隙が設けられており、端子キャビティ４０の内壁と弾接片２１との間に侵入した異物５の影響を受けずに弾接片２１を撓ませることができる。【選択図】図３
2012164490.tif 000002
【特許請求の範囲】
【請求項１】
相手方端子に端子収容部内で弾接する弾接片を備えた端子であって、
前記弾接片は、前記相手方端子への弾接方向に屈曲した後、前記端子収容部内への前記相手方端子の挿抜方向に延びて構成されていることを特徴とする端子。
【請求項２】
相手方端子に端子収容部内で弾接する弾接片を備えた端子であって、
前記弾接片は、端子収容部の側壁の一部が前記側壁から前記端子収容部内に屈曲した後、前記端子収容部内で前記側壁の延設方向に延びて構成されていることを特徴とする端子。
【請求項３】
前記端子収容部の対向する側壁に備えた一対の前記弾接片で、前記端子収容部内の相手方端子を挟持することを特徴とする請求項１又は２に記載の端子。
【発明の詳細な説明】
【技術分野】
【０００１】
本発明は、相手方端子に端子収容部内で弾接片を弾接させる端子に関する。
【背景技術】
【０００２】
下記の特許文献１，２に開示されるように、端子は、端子収容部に挿入された相手方端子に弾接片を弾接させて、端子収容部内で相手方端子を挟持する。特許文献１の弾接片は、相手方端子に接触する先端部を除いては平坦に形成され、端子収容部の側壁と重なり合うように端子収容部内に配置されている。特許文献２では端子収容部の側壁の一部を端子収容部内に緩やかに傾斜させて弾接片が形成されている。
【先行技術文献】
【特許文献】
【０００３】
【特許文献１】特開２０００−３１１７４０号公報
【特許文献２】特開２００１−３５１７３９号公報
【発明の概要】
【発明が解決しようとする課題】
【０００４】
上記従来の端子では、コネクタハウジングの端子キャビティや端子収容部の側壁と弾接片との間に異物が挟まったり、端子キャビティと弾接片との間に異物が挟まることで、相手方端子に弾接する弾接片の弾発力が大きくなり、端子収容部に対する相手方端子の挿抜力が増大する虞があった。
【０００５】
本発明は斯かる課題に鑑みてなされたもので、本発明によれば、端子収容部や端子キャビティ内に進入した異物の影響を受けずに弾接片を撓ませることができる端子を提供することを目的とする。
【課題を解決するための手段】
【０００６】
このような目的を達成するために、本発明の端子は、相手方端子に端子収容部内で弾接する弾接片を備えた端子であって、前記弾接片は、前記相手方端子への弾接方向に屈曲した後、前記端子収容部内への前記相手方端子の挿抜方向に延びて構成されていることを特徴とする。
また、本発明の端子は、相手方端子に端子収容部内で弾接する弾接片を備えた端子であって、前記弾接片は、端子収容部の側壁の一部が前記側壁から前記端子収容部内に屈曲した後、前記端子収容部内で前記側壁の延設方向に延びて構成されていることを特徴とする。
また、本発明は、前記端子収容部の対向する側壁に備えた一対の前記弾接片で、前記端子収容部内の相手方端子を挟持することを特徴とする。
【発明の効果】
【０００７】
本発明によれば、端子収容部や端子キャビティの内壁と弾接片との間に弾接片の撓み代よりも大きな間隙を設け、この間隙に侵入した異物の影響を受けずに弾接片を撓ませることができる。
【図面の簡単な説明】
【０００８】
【図１】本発明の一実施形態の端子を示す図であり、（ａ）は右側面図，（ｂ）は（ａ）のＡ−Ａ矢視断面図である。
【図２】図１（ｂ）の枠Ｂ内の拡大図である。
【図３】端子キャビティに端子が収容された状態を示す断面図である。
【図４】端子が備える弾接片が相手方端子に弾接して撓む動作を示す図である。
【発明を実施するための形態】
【０００９】
以下、図面を参照して、本発明の一実施形態を説明する。
以下の説明で用いる上下，前後，左右の各方向は説明に用いる各図に示している。この上下，前後，左右は説明のために記載したもので、実際の配置と異なってよいことはもちろんである。
【００１０】
図１に示す端子１は、相手方端子を収容する端子収容部２と、電線が接続される電線接続部３とを備えている。電線接続部３は、電線の芯線を加締める芯線加締部３１と、電線の絶縁被覆層を加締める被覆加締部３２とを備えている。
【００１１】
端子収容部２は、右側板２ａの後縁部と左側板２ｂの後縁部とを後板２ｃで接続して構成されており、コの字の断面形状を有して上下方向に延びている。右側板２ａ及び左側板２ｂは、互いの対向する位置に弾接片２１を備えている。弾接片２１は、側板２ａ，２ｂにＵ字状のスリット２２を設けて形成された舌片から構成されている。
【００１２】
図１及び図２に示すように、弾接片２１は、側板２ａ，２ｂから端子収容部２内に向けて屈曲して延びた屈曲部２１１と、屈曲部２１１の先端から側板２ａ，２ｂの延設方向に沿って端子収容部２内を下方に延びた挟持部２１２と、挟持部２１２の先端から湾曲して下方に延びた当接部２１３とを備えている。当接部２１３は、挟持部２１２の先端から端子収容部２の内側に湾曲して先端を端子収容部２の左右の外側に延出させている。右側板２ａから延びた弾接片２１の当接部２１３と左側板２ｂから延びた弾接片２１の当接部２１３とは、互いに対向する位置に配置されている。
【００１３】
図３に拡大して示すように、端子１は、コネクタハウジングの端子キャビティ４０に収容されて、端子キャビティ４０の右内壁部４ａに端子収容部２の右側板２ａを、左内壁部４ｂに左側板２ｂをそれぞれ向き合わせる。端子収容部２の左右の側板２ａ，２ｂが備える弾接片２１と端子キャビティ４０の左右の内壁部４ａ，４ｂとの間には、間隙が形成されている。
【００１４】
端子１は、端子収容部２の下端側から右側板２ａと左側板２ｂとの間に、図３に太矢印で示すように相手方端子が挿入されると、側板２ａ，２ｂの弾接片２１が備える当接部２１３を相手方端子に当接させて、相手方端子を左右の両側から弾接片２１で挟持する。このとき、弾接片２１は、図４に示すように、側板２ａ，２ｂから屈曲部２１１の延出箇所を支点として、当接部２１３の形成箇所から長さＡの範囲で、端子収容部２の左右の外側に撓む。弾接片２１が外側に撓んでも、屈曲部２１１及び挟持部２１２と内壁部４ａ，４ｂとの間には、間隙が設けられた状態が保たれる。
【００１５】
本実施形態では、弾接片２１が側板２ａ，２ｂから端子収容部２の内側に向けて屈曲した屈曲部２１１から挟持部２１２が下方に延びていることから、相手方端子を挟持する弾接片２１の撓み代よりも大きな間隙が挟持部２１２と内壁部４ａ，４ｂとの間に形成される。このため、図３，４に示すように、挟持部２１２と内壁部４ａ，４ｂとの間に設けられた間隙に異物５が混入した状態で挟持部２１２が撓んでも、挟持部２１２と内壁部４ａ，４ｂとの間に異物５が挟み込まれるのが防止される。
【００１６】
これに対し、例えば、弾接片２１が屈曲部２１１を備えずに挟持部２１２が側板２ａ，２ｂから緩やかに傾斜して下方に延びている場合には、端子キャビティ４０の内壁部４ａ，４ｂと挟持部２１２との間に設けられた間隙に異物５が混入した状態で相手方端子が挿入されると、挟持部２１２と内壁部４ａ，４ｂとの間に異物５が挟み込まれる。このため、弾接片２１は、挟持部２１２の異物５を挟み込んだ箇所を支点として、当接部２１３の形成箇所から長さＡよりも短い長さＢ（図４参照）の範囲で撓むこととなる。この結果、弾接片２１の弾発力が大きくなり、端子収容部２に対する相手方端子の挿抜に必要な力も増大する。
【００１７】
本実施形態によれば、弾接片２１が相手方端子への弾接方向に屈曲した後、端子収容部２内への相手方端子の挿抜方向に延びていることから、端子収容部２や端子キャビティ４０の内壁部４ａ，４ｂと弾接片２１との間に、弾接片２１の撓み代よりも大きな間隙を設けることができる。このため、端子収容部２や端子キャビティ４０の内壁と弾接片２１との間に侵入した異物５の影響を受けずに弾接片２１を撓ませて、相手方端子に弾接させることができる。
【００１８】
なお、上記実施形態では、弾接片２１が端子収容部２の右側板２ａ及び左側板２ｂの一部を端子収容部２内に屈曲させて構成されている場合について説明した。しかしながら、弾接片２１が相手方端子への弾接方向に屈曲した後、端子収容部２内への相手方端子の挿抜方向に延びて構成されているのであれば、弾接片２１の形成位置は任意である。
【００１９】
また、上記実施形態では、端子収容部２の左右の側板２ａ，２ｂの一部からなる舌片で弾接片２１が形成されている場合について説明したが、相手方端子への弾接方向に屈曲した後、端子収容部２内への相手方端子の挿抜方向に延びているのであれば、弾接片の構成は任意である。例えば、側板２ａ〜２ｃの内側に折り畳まれた折曲片、又は、この折曲片の一部からなる舌片で弾接片を形成してもよい。この構成によれば、側板２ａ〜２ｃや折曲片と弾接片２１との間に弾接片２１の撓み代よりも大きな間隙を設けて、側板２ａ〜２ｃや折曲片と弾接片との間に侵入した異物５の影響を受けずに弾接片を撓ませることができる。
【００２０】
また、端子収容部２の構成も任意であり、例えば、前板も備えた四角筒状を呈していても良い。また、端子収容部２が備える弾接片２１の数量も任意であり、例えば、右側板２ａ，左側板２ｂ，後板２ｃの何れかに１つの弾接片２１が備えられていても、全てに弾接片２１が備えられていても良い。また、弾接片２１が下端側から上端側に伸びていても良い。
【符号の説明】
【００２１】
１            端子
２            端子収容部
２ａ          右側板
２ｂ          左側板
２ｃ          後板
２１          弾接片
２１１        屈曲部
２１２        挟持部
２１３        当接部
２２          スリット
３            電線接続部
３１          芯線加締部
３２          被覆加締部
４０          端子キャビティ
４ａ          右内壁部
４ｂ          左内壁部
５            異物
【図１】
2012164490.tif 000003
【図２】
2012164490.tif 000004
【図３】
2012164490.tif 000005
【図４】
2012164490.tif 000006